(57)【特許請求の範囲】
【請求項１】
液体を収容する容器体の口頸部に装着して使用するピストル型のトリガー式液体噴出器であって、トリガー操作のポンプ２を内装した噴出器本体１の前端に回動により液体の噴出とストップを切り換え得るノズル３を備え、該ノズルの前面にノズル孔と対応させて前面フラップ４を開閉自在に枢着し、また、上記噴出器本体１の前端部からトリガー５を揺動自在に垂設して、該トリガーを上記ポンプ２と機械的に連繋させたトリガー式液体噴出器において、上記トリガー５の前面上部から前方へ係合片６を突設し、また、閉じた上記前面フラップ４の端部から後方へ上記係合片６と係合させる係止片７を突設し、該係止片を上記ノズル３の液体ストップ態勢にて上記係合片６へ係合させて前記トリガー５を回動不能に係止する構造としたことを特徴とするトリガー式液体噴出器。
【請求項２】
液体を収容する容器体の口頸部に装着して使用するピストル型のトリガー式液体噴出器であって、トリガー操作のポンプ２を内装した噴出器本体１の前端にノズル３を備え、該ノズルの前面にノズル孔に対応させて前面フラップ４を開閉自在に枢着し、また、上記噴出器本体１の前端部からトリガー５を揺動自在に垂設して、該トリガーを上記ポンプ２と機械的に連繋させたトリガー式液体噴出器において、上記トリガー５の前面上部から前方へ係合片６を突設し、また、閉じた上記前面フラップ４の端部から後方へ上記係合片６と係合させる係止片７を突設して、両者の係合により前記トリガー５を回動不能に係止する構造としたことを特徴とするトリガー式液体噴出器。
【発明の詳細な説明】
【０００１】
【発明の属する技術分野】
本発明は、トリガー式の液体噴出器に関する。
【０００２】
【従来の技術】
液体を収容する容器体の口頸部に装着して使用するピストル型のトリガー式液体噴出器は既に周知である。このトリガー式液体噴出器は、トリガー操作のポンプを内装した噴出器本体の前端にノズルを備え、また、噴出器本体の前端部からトリガーを揺動自在に垂設するとともに、該トリガーを上記ポンプと機械的に連繋させて、該トリガーを揺動操作することにより上記ポンプを働かせ、容器体内の液体を吸い上げては加圧してノズルから外部へと噴出（直射又は噴霧）させるように構成されている。
この場合のノズルには、ノズル方向の軸線を中心に回動させることで液体の直射又は噴霧の噴出態勢とストップ態勢とを切り換えるものと、液体の直射又は噴霧の噴出態勢のままのものとがあり、また、近年のこれらのトリガー式噴出器では、ノズルの前面にノズル孔と対応させて前面フラップを開閉自在に枢着しているものが多い。
そして、これらのトリガー式液体噴出器の大半は、液体を収容した容器体の口頸部に装着されて、これらと一体の関係で商品市場を流通し、需要者にわたっている。
【０００３】
【発明が解決しようとする課題】
しかし、その噴出態勢とストップ態勢との切り換えを得るトリガー式液体噴出器を装着した商品において、液体のストップ態勢で、トリガーが引かれ、或いは、わずかではあっても度重なってトリガーが引かれるか又は引かれたと同様の状態に何らかの外力が加わると、ポンプ内の液圧が累積的に上昇してポンプの内部が不自然な蓄圧状態となる。この状態でノズルを回動させて直射又は噴霧の噴出態勢に切り換えると、切り換えた途端に、ポンプ内の液体がその液圧によって不意にノズル孔から噴出し、液垂れを生じる。また、そのストップ態勢でトリガーがあまりに強く引かれると、ポンプ内の液圧が極端に上昇し、ノズルがその液圧で押し出されて、嵌合が外れてしまう虞れもある。
噴出態勢のままのトリガー式液体噴出器を装着した商品でも、必要もないのにトリガーが引かれ、或いは、トリガーに不意に何らかの外力が加わってポンプが働くと、容器体内の液体がノズル孔から噴出し、液漏れを生じることとなり、商品価値の低下や周辺の汚染等の不都合を来す。
本発明は、これらの問題点を簡単に解決しようとするものである。
【０００４】
【課題を解決するための手段】
請求項１の発明は、液体を収容する容器体の口頸部に装着して使用するピストル型のトリガー式液体噴出器であって、トリガー操作のポンプ２を内装した噴出器本体１の前端に回動により液体の噴出とストップを切り換え得るノズル３を備え、該ノズルの前面にノズル孔と対応させて前面フラップ４を開閉自在に枢着し、また、上記噴出器本体１の前端部からトリガー５を揺動自在に垂設して、該トリガーを上記ポンプ２と機械的に連繋させたトリガー式液体噴出器において、上記トリガー５の前面上部から前方へ係合片６を突設し、また、閉じた上記前面フラップ４の端部から後方へ上記係合片６と係合させる係止片７を突設し、該係止片を上記ノズル３の液体ストップ態勢にて上記係合片６へ係合させて前記トリガー５を回動不能に係止する構造としたことを特徴とする。
【０００５】
請求項２の発明は、液体を収容する容器体の口頸部に装着して使用するピストル型のトリガー式液体噴出器であって、トリガー操作のポンプ２を内装した噴出器本体１の前端にノズル３を備え、該ノズルの前面にノズル孔に対応させて前面フラップ４を開閉自在に枢着し、また、上記噴出器本体１の前端部からトリガー５を揺動自在に垂設して、該トリガーを上記ポンプ２と機械的に連繋させたトリガー式液体噴出器において、上記トリガー５の前面上部から前方へ係合片６を突設し、また、閉じた上記前面フラップ４の端部から後方へ上記係合片６と係合させる係止片７を突設して、両者の係合により前記トリガー５を回動不能に係止する構造としたことを特徴とする。
【０００６】
【発明の実施の形態】
図面は、請求項１の発明の、液体を収容する容器体の口頸部に装着して使用するピストル型の合成樹脂製トリガー式液体噴出器に係る実施の形態を示している。
図において、１は、トリガー操作のポンプ２を内装した噴出器本体、３は、該噴出器本体の前端に装着したノズル、４は、該ノズルの前面に開閉自在に枢着してノズル孔と対応させた前面フラップ、５は、上記噴出器本体１の前端部から揺動自在に垂設して上記ポンプ２と機械的に連繋させたトリガーである。
以下、各部について詳述する。
【０００７】
噴出器本体１は、トリガー操作のポンプ２を内装するとともに、外面にカバー８を付設し、また、下部に、容器体の口頸部へと取り付ける装着筒９を備え、該装着筒に遊挿させて吸上げパイプ１０を垂設し、該吸上げパイプの下端を容器体内の下部へと垂下させるようにしている。
【０００８】
ノズル３は、前面中央に前方へ向けて開孔するノズル孔を有し、噴出器本体１の前端にノズル孔方向の軸線を中心に回動可能に装着しており、所定角度の回動により、噴出器本体１からの液体流路を切り換えて、液体の直射、噴霧等の噴出とストップとの切り換えを得るようにしている。
【０００９】
前面フラップ４は、ノズル３の前面に、上記ストップ態勢において、上下方向に抜ける広幅の浅溝１１を形成して、該浅溝内に出入自在に嵌合させるとともに、その上端部１２を横軸１３でノズル３の上部に枢着して開閉自在に装備させており、また、下端部１４を下方へ舌片状に伸出させている。
なお、図示の前面フラップ４では、中央部に、閉時においてノズル孔と対面する菊花状の窓孔を有しており、該窓孔に噴霧を通過させることで、その噴霧を飛沫化させるようにしている。勿論、このような窓孔を有しない単なる蓋板であってもよい。
【００１０】
トリガー５は、上端部を左右二又に形成し、双方の上端にそれぞれ片持ち横軸１５を突設し、両片持ち横軸により上記カバー８の内側で噴出器本体１の前端部左右に枢着して前後揺動自在に垂設しており、また、上部で上記ポンプ２と機械的に連繋させて、このトリガー５の引くことで上記ポンプ２を作動させ、容器体内の液体を吸い上げては加圧して上記ノズル３から外部へと噴出させ得るようにしている。
【００１１】
そして、上記トリガー５の前面上部から前方へ係合面が下方に面する係合片６を突設し、また、閉じた上記前面フラップ４の下端部１４の内面から後方へ係合面が上方に面する係止片７を突設して、該係止片をノズル３のストップ態勢かつ前面フラップ４の閉態勢において上記係合片６へ係合させて上記トリガー５を回動不能に係止するようにしている。
【００１２】
如上の構成であり、その使用に当たっては、液体を収容した容器体の口頸部に装着筒９を以て取り付け、吸上げパイプ１０をその容器体内へ深く垂下させる。
ところで、ノズル３がストップの態勢で、前面フラップ４が閉じているときは、該前面フラップの係止片７がトリガー５の係合片６に係合しており、この状態では、トリガー５を引こうとしても、或いは、トリガー５に何らかの外力が加わっても、トリガー５は回動しない。したがって、噴出器本体１のポンプ２は作動せず、ポンプ２内の液体が蓄圧状態になることも加圧液体がノズル３へ供給されることもないから、ノズル３を直射、噴霧等の噴出態勢に回動させても、その途端に液体がノズル孔から不意に噴出することも液垂れを生じることもない。
液体の直射、噴霧等の噴出を得るときは、前面フラップ４の係止片７をトリガー５の係合片６から離脱させてトリガー５を回動可能にするとともに、その前面フラップ４を十分に開き、かつ、ノズル３を回動させて直射、噴霧等の噴出態勢にした後、そのトリガー５を引けばよい。これにより噴出器本体１のポンプ２が作動して、容器体内の液体を吸い上げては加圧してノズル３のノズル孔から噴出させる。
なお、ノズル３を回動させて直射、噴霧等の噴出態勢にしたままでも、前面フラップ４を閉じることは可能であり、この際には、異方向の係止片７がトリガー５の係合片６に係合しない。また、図示のものでは、噴霧の噴出態勢で前面フラップ４を閉じると、噴霧が菊花状の窓孔で適度に邪魔されて飛沫化される。前面フラップ４に該窓孔がなければ、前面フラップは単なる蓋板として機能する。
【００１３】
請求項２の発明の、ノズル３が直射、噴霧等の噴出態勢のままのトリガー式液体噴出器では、上述の請求項１の発明の実施の形態で示す構造のものにおいて、ノズル３の内部構造が該ノズルの回動で噴出態勢とストップ態勢とに切り換えないものであるだけで、他の構造は実質的に同じであるから、図示及び説明を省略する。
【００１４】
【発明の効果】
請求項１の発明によれば、既述構成であるから、ノズル３を液体のストップの態勢にしたときは、閉じた前面フラップ４から突設した係止片７をトリガー５の係合片６に係合させて、トリガー５を回動不能に係止することができ、したがって、液体を収容した容器体の口頸部に装着した段にあっても、その係止状態では、トリガー５を引こうとしても、或いは、トリガー５に何らかの外力が加わってもトリガー５は回動せず、ポンプ２の作動を的確に阻止することができて、ポンプ内の液圧が累積的に上昇することもポンプの内部が蓄圧状態になることも加圧液体がノズル３へと供給されることもなく、ノズルを液体噴出態勢へと切り換えた途端に液体がノズル孔から噴出して液垂れを生じるようなことは確実に防止できる。勿論、ノズル３がその液圧で押し出されて嵌合が外れてしまうようなこともない。
【００１５】
また、請求項２の発明によれば、既述構成であるから、閉じた前面フラップ４から突設した係止片７をトリガー５の係合片６に係合させて、トリガー５を回動不能に係止することができ、したがって、液体を収容した容器体の口頸部に装着した段にあっても、その係止状態では、トリガー５を引こうとしても、或いは、トリガー５に何らかの外力が加わってもトリガー５は回動せず、ポンプ２の作動を的確に阻止することができて、ノズル孔からの液漏れを防止でき、商品価値の低下や周辺の汚染等の不都合を来すことはない。
【００１６】
更に、請求項１、請求項２の発明によれば、ノズル３の前面フラップ４から係止片７を突設し、これをトリガー５の前面上部から突設した係合片６に係合させているから、簡潔でコンパクトなトリガー５の回動阻止手段を構成でき、その操作、取り扱いが容易であり、外観を悪くするようなことはない。
【図面の簡単な説明】
【図１】本発明のトリガー式液体噴出器に係る実施の形態を示す斜視図である。
【図２】同実施の形態における側面図である。
【符号の説明】
１…噴出器本体                  ２…ポンプ
３…ノズル                      ４…前面フラップ
５…トリガー                    ６…係合片
７…係止片                      ８…カバー
９…装着筒                      １０…吸上げパイプ
１１…浅溝                        １２…上端部
１３…横軸                        １４…下端部
１５…片持ち横軸
【図１】
0003583247.tif 000002
【図２】
0003583247.tif 000003